(57)【特許請求の範囲】
【請求項１】
送信側から番組のディジタル映像データおよびディジタル音声データをパケット化して多重化した放送信号を伝送し、受信側で該放送信号を受信して番組を表示するディジタル放送において、
上記ディジタル音声データは、番組の音声として作成されたデータに複数通りの聴覚補償処理を施した複数種類の音声データを含み、
送信側は、該複数種類の音声データを別個の複数の音声チャンネルで伝送するとともに、該音声チャンネルを識別するための付加情報を、上記放送信号に多重化して伝送し、
受信側では、該付加情報に基づいて、各音声チャンネルの音声に施された聴覚補償処理を判断して最適音声を選択するための選択画面を表示し、該選択画面から外部入力によって任意に選択された音声チャンネルの音声を出力することを特徴とするディジタル放送用聴覚補償方法。
【請求項２】
請求項１に記載のディジタル放送用聴覚補償方法において、
上記付加情報は、ＡＲＩＢ（社団法人電波産業会）規格による番組配列情報のコンポーネント記述子に記述するものであることを特徴とするディジタル放送用聴覚補償方法。
【請求項３】
請求項１に記載のディジタル放送用聴覚補償方法において、
上記受信側で作成される選択画面は、送信側で話速及びダイナミックレンジを示す物理パラメータのパラメータ値を変化させて複数通りに聴覚補償処理を施された各音声が、スピード及び明瞭さを示す心理パラメータで表現されて呈示されたものであることを特徴とするディジタル放送用聴覚補償方法。
【請求項４】
請求項１に記載のディジタル放送用聴覚補償方法において、
上記受信側で作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されたものであることを特徴とするディジタル放送用聴覚補償方法。
【請求項５】
番組の映像データ，番組の音声データに対して複数通りに聴覚補償処理が施された複数種類の音声データ，及び該複数種類の音声データがそれぞれ伝送される複数の音声チャンネルを識別するための付加情報を含むデータが多重化されて伝送されたディジタル放送信号を受信する受信装置であって、
ディジタル放送信号を受信する受信手段と、
受信したディジタル放送信号から、映像信号，音声信号，及び付加情報を含む信号をそれぞれフィルタリングして分離する信号分離手段と、
分離された付加情報を含む信号から付加情報を抽出する付加情報処理手段と、
外部入力による最適音声を選択するための選択画面表示の指示を受け付けたり、抽出された付加情報に基づいて、外部入力によって選択された音声の音声チャンネルを特定する最適音声選択手段と、
分離された映像信号を復号して再生し、上記最適音声選択手段からの指示に従って、上記付加情報処理手段で抽出された付加情報に基づいて、外部入力によって任意の音声チャンネルの音声を選択するための選択画面を作成し、再生した映像に合成する映像再生手段と、
分離された音声信号のうち、特定された音声チャンネルの音声信号を復号して再生する音声再生手段とを備えたことを特徴とする受信装置。
【請求項６】
請求項５に記載の受信装置において、
上記映像再生手段において作成される選択画面は、送信側で話速及びダイナミックレンジを示す物理パラメータのパラメータ値を変化させて複数通りに聴覚補償処理が施された各音声が、スピード及び明瞭さを示す心理パラメータで表現されて呈示されたものであることを特徴とする受信装置。
【請求項７】
請求項５に記載の受信装置において、
上記映像再生手段において作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されたものであることを特徴とする受信装置。
【発明の詳細な説明】
【０００１】
【発明の属する技術分野】
本発明は、ディジタル放送において、補聴処理を施した音声信号を送受信するディジタル放送用聴覚補償方法およびそれに用いる受信装置に関するものである。
【０００２】
【従来の技術】
近年、社会の高齢化が進む中、高齢者にとって使い勝手の良い電化製品の要求が高まっている。特に、テレビは、高齢者にとって、数ある電化製品の中で最も身近で無くてはならないものであり、高齢者にも操作の容易なテレビジョン受信装置などの開発が進められている。
【０００３】
ところが、テレビジョン放送を視聴するにあたり、高齢者にとっては、操作能力もさることながら、聴力が問題となる場合が多い。例えば、高齢者の声として、「ニュースやドラマなどの話が聞き取り難い」，「早口の話者についていけない」，「歌番組やバラエティ番組などはうるさい」，「最適音量が家族にとっては大きく、家族で一緒に視聴するとき困る」，「聞きたい会話がＢＧＭや効果音のために聞き取り難い」，「テレビ以外の家庭内の音のためにテレビの音が聞こえ難いので、イヤホンを利用している」などがある。これらは、聴力レベルの低下，ぎりぎり聴こえるレベルとこれ以上聴くとうるさいレベルとの範囲を示す聴力ダイナミックレンジの狭まり，音声理解のための逐次処理能力の低下などの聴覚特性を示すものである。したがって、これらの高齢者の聴覚特性に対処した音声を提供することが必要である。提供方法としては、送信側で高齢者の聴覚特性に対処して補聴処理を施した音声を送信する方法や、従来通り放送される音声を受信装置で高齢者の聴覚特性に対処した音声に補聴処理する方法が考えられる。
【０００４】
【発明が解決しようとする課題】
しかしながら、高齢者には上述のような聴覚特性があるものの、その聴覚特性は高齢者間でかなりのばらつきがあるため、上記のように、送信側で補聴処理を施した音声を送信する場合、一定の補聴処理を施した１種類の音声では個々の高齢者に対応できず、受信装置で個々の高齢者にそれぞれ対処して補聴処理を行うことは煩雑で困難であるという問題点がある。
ここで、ディジタル放送においては、一つの映像に対して複数の言語で放送するマルチリンガル放送なども実用化されており、一つの映像に対して複数の音声を提供することは容易である。
【０００５】
本発明は、かかる問題点を解消するためになされたもので、種々の聴覚特性に対応して複数通りの聴覚補償処理を施して送信される複数の音声信号を受信して利用するディジタル放送用聴覚補償方法およびそれに用いる受信装置を提供することを目的とする。
【０００６】
【課題を解決するための手段】
上記課題を解決するために、本発明（請求項１）のディジタル放送用聴覚補償方法は、送信側から番組のディジタル映像データおよびディジタル音声データをパケット化して多重化した放送信号を伝送し、受信側で該放送信号を受信して番組を表示するディジタル放送において、上記ディジタル音声データは、番組の音声として作成されたデータに複数通りの聴覚補償処理を施した複数種類の音声データを含み、送信側は、該複数種類の音声データを別個の複数の音声チャンネルで伝送するとともに、該音声チャンネルを識別するための付加情報を、上記放送信号に多重化して伝送し、受信側では、該付加情報に基づいて、各音声チャンネルの音声に施された聴覚補償処理を判断して最適音声を選択するための選択画面を表示し、該選択画面から外部入力によって任意に選択された音声チャンネルの音声を出力するものである。
【０００７】
また、本発明（請求項２）のディジタル放送用聴覚補償方法は、請求項１に記載のディジタル放送用聴覚補償方法において、上記付加情報は、ＡＲＩＢ（社団法人電波産業会）規格による番組配列情報のコンポーネント記述子に記述するものであるものである。
【０００８】
また、本発明（請求項３）のディジタル放送用聴覚補償方法は、請求項１に記載のディジタル放送用聴覚補償方法において、上記受信側で作成される選択画面は、送信側で話速及びダイナミックレンジを示す物理パラメータのパラメータ値を変化させて複数通りに聴覚補償処理を施された各音声が、スピード及び明瞭さを示す心理パラメータで表現されて呈示されたものであるものである。
【０００９】
また、本発明（請求項４）のディジタル放送用聴覚補償方法は、請求項１に記載のディジタル放送用聴覚補償方法において、上記受信側で作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されたものであるものである。
【００１０】
また、本発明（請求項５）の受信装置は、番組の映像データ，番組の音声データに対して複数通りに聴覚補償処理が施された複数種類の音声データ，及び該複数種類の音声データがそれぞれ伝送される複数の音声チャンネルを識別するための付加情報を含むデータが多重化されて伝送されたディジタル放送信号を受信する受信装置であって、ディジタル放送信号を受信する受信手段と、受信したディジタル放送信号から、映像信号，音声信号，及び付加情報を含む信号をそれぞれフィルタリングして分離する信号分離手段と、分離された付加情報を含む信号から付加情報を抽出する付加情報処理手段と、外部入力による最適音声を選択するための選択画面表示の指示を受け付けたり、抽出された付加情報に基づいて、外部入力によって選択された音声の音声チャンネルを特定する最適音声選択手段と、分離された映像信号を復号して再生し、上記最適音声選択手段からの指示に従って、上記付加情報処理手段で抽出された付加情報に基づいて、外部入力によって任意の音声チャンネルの音声を選択するための選択画面を作成し、再生した映像に合成する映像再生手段と、分離された音声信号のうち、特定された音声チャンネルの音声信号を復号して再生する音声再生手段とを備えたものである。
【００１１】
また、本発明（請求項６）の受信装置は、請求項５に記載の受信装置において、上記映像再生手段において作成される選択画面は、送信側で話速及びダイナミックレンジを示す物理パラメータのパラメータ値を変化させて複数通りに聴覚補償処理が施された各音声が、スピード及び明瞭さを示す心理パラメータで表現されて呈示されたものである。
【００１２】
また、本発明（請求項７）の受信装置は、請求項５に記載の受信装置において、上記映像再生手段において作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されたものであるものである。
【００１３】
【発明の実施の形態】
以下に、本発明の実施の形態について図面を参照しながら詳細に説明する。
（実施の形態）
図１は本発明の実施の形態によるディジタル放送用聴覚補償方法において、視聴者が最適音声を選択するための音声マトリックスの例を示す図である。
すなわち、本発明の実施の形態によるディジタル放送用聴覚補償方法では、送信側で、通常に放送されるディジタル放送番組の１種類の音声に、複数通りの聴覚補償処理を施して複数種類の音声を作成して送信し、受信装置で、作成された各音声に施された聴覚補償処理を判断できる音声マトリックスを作成し、該音声マトリックスに基づいて、視聴者により最も聴き取りやすい最適音声が選択される。
【００１４】
図１において、０〜２４の番号は、送信側で２５通りの聴覚補償処理が施されて作成された２５種類の音声の一つ一つを示すものであり、例えば、ＭＰＥＧ２規格によるＡＡＣ（Advanced Audio Coding）のエレメンタリストリームには７ｃｈほどの音声チャンネルを入れることができるので、該ＡＡＣのエレメンタリストリームを３〜４本使用して２５ｃｈ分を確保し、該２５種類の音声が送出される。該音声マトリックスの左右方向は、話速の違いを示し、左ほど遅く、右ほど速く、該音声マトリックスの上下方向は、明瞭さの違いを示し、上ほどはっきり聞こえ、下ほどやわらかく聞こえる音声を示している。例えば、「０」は、話速は最も遅いが最もはっきり聴こえる音声を示し、「２４」は、話速は最も速いが最もやわらかく聴こえる音声を示している。
【００１５】
また、各エレメンタリストリーム（コンポーネントストリーム）で送出される複数の音声チャンネルの情報は、各コンポーネントごとにコンポーネント記述子に記述される。なお、該コンポーネント記述子は、社団法人電波産業会（Association of Radio Industries and Businesses；ＡＲＩＢ）の規格に従って、ＳＩ（Service Information ；番組配列情報）のＰＭＴ（プログラムマップテーブル）あるいはＥＩＴ（イベント情報テーブル）に記述するように定義されている。
【００１６】
図２は本発明の実施の形態によるディジタル放送用聴覚補償方法において用いるコンポーネント記述子を示す図である。
図において、stream＿content（コンポーネント内容）は４ビットのフィールドで映像，音声，及びデータのストリームの種別を表し、ここでは音声ストリームを表すように符号化される。component＿type（コンポーネント種別）は８ビットのフィールドで映像，音声，及びデータのコンポーネントの種別を規定し、ここでは聴覚障害者用音声、あるいは将来使用のためのリザーブを使用して聴覚補償方法用音声を規定するように符号化される。component＿tag（コンポーネントタグ）は８ビットのフィールドでコンポーネントストリームを識別するためのラベルである。ISO＿639＿language＿code（言語コード）は２４ビットのフィールドでコンポーネント（音声、あるいはデータ）の言語、及び該記述子に含まれる文字記述の言語を識別する。text＿char（コンポーネント記述）は８ビットのフィールドでコンポーネントストリームの文字記述を規定する。例えば、該コンポーネントストリームに、上記図１に示したマトリックスの０〜６の番号が示す７チャンネル分の音声が入っている場合、０／１／２／３／４／５／６と記述される。
【００１７】
ここで、上記図１の音声マトリックスにおいて心理パラメータで示されるような複数種類の音声を作成するために、送信側において物理パラメータのパラメータ値を変化させて音声に施される聴覚補償処理について詳述する。
上記図１の音声マトリックスは、話速変換処理によって、１種類の音声を５段階のスピードに処理し、さらに、各段階のスピードの音声を、ダイナミックレンジ圧縮やホルマント強調などによって５段階の明瞭さに処理して、作成された２５種類の音声を示している。
【００１８】
より具体的には、話速変換処理によって、１種類の音声の話速（物理パラメータ）のパラメータ値を１／２倍速，２／３倍速，１．５倍速，及び２倍速に変化させた音声を作成し、これら４種類の音声，及び話速変換処理なしのノーマルスピードの音声について、さらにダイナミックレンジ圧縮やホルマント強調などの物理パラメータのパラメータ値を、処理レベル１〜４で変化させて、処理しない音声を合わせて２５種類の音声を作成する。作成された各音声は、図１に示したように、音声マトリックス上で、スピードが遅い，あるいは速いとか、よりはっきりなどの心理パラメータで表現されて呈示される。該ダイナミックレンジ圧縮では、入力される，大きな音はそのままに，小さな音をより大きな音量で出力されるように、処理レベル１〜４（図３参照）で処理することによって、出力される音声がよりはっきり聴こえるものとなる。また、該ホルマント強調では、母音を識別する手がかりとなるホルマント（周波数軸上のエネルギー分布のピーク）について、第一ホルマントに対する第二および第三ホルマントのエネルギーレベルを上げるように、処理レベル１〜４（図４参照）で処理することによって、出力される音声の母音がより聴こえやすくなり、当該音声がよりはっきり聴こえるものとなる。
【００１９】
したがって、上記図１の音声マトリックスは、話速変換処理による５段階の音声のスピードを一方の軸にとって、もう一方の軸にはダイナミックレンジ圧縮やホルマント強調などによる５段階の音声の明瞭さをとったものであるが、これらの処理に限らず、その他の２種類の物理パラメータを採用することによって２次元の音声マトリックスに対応する複数種類の音声を作成することが可能である。
【００２０】
上記その他の聴覚補償処理としては、一般的な高域強調，低域強調，音声帯域強調，子音強調などとともに、番組のジャンルなどに応じて、会話と音楽の音量のバランスを調整する処理，会話の中の人物ごとの音量を強調する処理，スポーツの実況中継の解説やライブ音を別個に強調する処理などが挙げられる（図５参照）。これら種々の聴覚補償処理から、ニュース，ドラマ，歌番組，バラエティ，スポーツなどの番組ジャンルごとに適切な聴覚補償が望める処理を設定することによって、高齢者や聴覚障害者などにとって聴きやすい音声を提供できるだけでなく、一緒に視聴する健常者にも違和感のない音声を提供することができる。例えば、ドラマの登場人物の一人の音域が低いため、高齢者等には聴きづらいとき、全体の音量を上げることなく、その人物の音量だけを強調した音声を設定することによって、健常者にもうるさくない音声を提供できる。
【００２１】
また、上記聴覚補償処理は、１種類だけ，あるいは３種類以上採用することも可能であり、受信側のユーザインタフェースにおいて、図５に示すようなインジケータを表示して、各聴覚補償処理に対して単独に音声を選択できるようにすることも可能である。
ここで、ジャンルなどに応じて番組ごとに施す聴覚補償処理を変更する場合、施した聴覚補償処理に対応する音声マトリックスやインジケータを受信装置のユーザインタフェースに表示する必要が生じる。
【００２２】
そこで、送信側で施される複数種類の聴覚補償処理に対応する音声マトリックスやインジケータを、あらかじめ受信装置で用意しておき、施す聴覚補償処理に応じて用いる番号を変更することによって表示する音声マトリックスやインジケータを判断する。例えば、話速変換およびダイナミックレンジ圧縮を施した音声には、上記図１および２に示したような０〜２４の番号を用い、話速変換および会話と音楽の音量のバランスを調整する処理を施した音声には、２５〜４９の番号を用いて対応する音声マトリックスを表示する。また、人物Ａの声を調整する単独の処理を施した音声には、１００〜１０８の番号を用いて対応するインジケータを表示する（図５参照）。すなわち、音量調節処理を施していない音声を１０４番とし、該音声に８段階の音量調節処理を施して、最も小さくなる処理を施した音声から順に１００〜１０８番とする。なお、説明のため、番号を記入した音声マトリックスやインジケータを示したが、受信側インタフェースに表示される音声マトリックスやインジケータには、番号を表示せず、カーソル位置によって選択するものとする。
また、上記のように番号を変更することなく、上記図２のtext＿charに番号とともに表示する音声マトリックスやインジケータを示す値を入れるようにしてもよい。
【００２３】
図６は本発明の実施の形態によるディジタル放送用聴覚補償方法において用いる送信装置の構成例を示すブロック図である。
図において、１１は映像用符号器であり、番組の映像をディジタル映像信号に変換する。１２は音声用符号器であり、１番組の音声についてｎ通りに聴覚補償処理が施されたｎ個の音声に応じた数が用意され、該ｎ個の音声をそれぞれディジタル音声信号に変換する。１３は付加情報用符号器であり、付加情報（聴覚補償方法用音声の情報），すなわちコンポーネント記述子のtext＿charに記述された情報を含むＳＩをディジタル信号に変換する。１４は多重化部であり、ディジタル映像信号，ディジタル音声信号，及び付加情報のディジタル信号を多重化して１本のトランスポートストリームとする。１５はディジタル変調器であり、多重化部１４で多重化されたディジタル信号を搬送波に乗せて変調する。１６はアップコンバータであり、ディジタル変調器１５で変調された低周波数の信号を衛星用高周波数の信号に変換する。
【００２４】
なお、図には１つの音声多チャンネル番組の映像および音声のみを示したが、実際には、４〜８つの番組の映像および音声が多重化されて１本のトランスポートストリームとなる。したがって、上記付加情報は、該１本のトランスポートストリームに多重化される番組すべての聴覚補償方法用音声の情報からなる。また、図には１つの多重化部および該多重化部に対応するディジタル変調器からの信号をアップコンバータで変換するように示したが、実際には、６〜８つの多重化部および対応するディジタル変調器からの信号を変換する。すなわち、６〜８本のトランスポートストリームで、最大６４番組が同時に伝送される。
【００２５】
次に、本発明の実施の形態によるディジタル放送用聴覚補償方法における送信側での動作について、図１〜４により説明する。
まず、ディジタル放送のための番組が製作、すなわち、１番組について１つの映像および１つの音声が作成される。そして、該１つの音声について複数通りに聴覚補償処理を施して、該複数通りの音声を作成する。
例えば、上記図３に示したダイナミックレンジ圧縮、あるいは上記図４に示したホルマント強調などの聴覚補償処理を処理レベル１〜４で施し、これら４通りの音声と処理していない音声の５通りの音声に対して、１／２倍速，２／３倍速，１．５倍速，及び２倍速の話速変換を施した２０通りの音声と話速変換を施していない上記５通りの音声の２５通りの音声を作成する。
【００２６】
また、上記番組と同じトランスポートストリームで伝送される他の番組や、該トランスポートストリームと同時に別のトランスポートストリームで伝送される番組も製作される。これらの番組は、上記番組と同様、聴覚補償処理が施された音声を含む音声多チャンネル番組であってもよいし、通常の音声１チャンネル番組や２カ国語放送番組であってもよい。
【００２７】
次いで、付加情報を記述したＳＩを用意する。すなわち、作成した複数通りの音声を別個の音声チャンネルに入れて、数チャンネルずつを各エレメンタリストリーム（コンポーネントストリーム）に入れて多重化する場合、各コンポーネントストリームに入れる音声を特定する情報（付加情報）を、コンポーネントごとにコンポーネント記述子に記述したＳＩを用意する。
【００２８】
例えば、上記図１に示したように、ホルマント強調を処理レベル４で施した音声に対して、１／２倍速，２／３倍速，１．５倍速，及び２倍速の話速変換を施した音声，並びに話速変換なしの音声に、それぞれ０，１，３，４，及び２の番号を与え、ホルマント強調を処理レベル３で施した音声に対して、１／２倍速，及び２／３倍速の話速変換を施した音声に、それぞれ５，及び６の番号を与える。これら０〜６の番号が与えられた音声を別個の音声チャンネルで、ＡＡＣの１本のエレメンタリストリーム（コンポーネントストリーム）に入れる場合、当該コンポーネントストリームのコンポーネント記述子に、上記図２のtext＿charに示したように記述する。
【００２９】
なお、上述のように、上記付加情報は、該１本のトランスポートストリームに多重化される番組すべての聴覚補償方法用音声の情報からなるので、上記番組以外に聴覚補償処理が施された音声を含む音声多チャンネル番組が多重化されて同じトランスポートストリームで伝送される場合、上記ＳＩは、該音声多チャンネル番組の聴覚補償方法用音声の情報が記述されたコンポーネント記述子も含むものとなる。
【００３０】
次いで、映像用符号器１１は、作成された映像をディジタル映像信号に変換して出力する。また、２５個の音声用符号器１２は、作成された２５通りの音声を個々にディジタル音声信号に変換して出力する。さらに、付加情報用符号器１３は、コンポーネント記述子に付加情報が記述されたＳＩデータをディジタル信号に変換して出力する。
【００３１】
次いで、多重化部１４は、映像用符号器１１および図示しない他の番組の映像用符号器からのディジタル映像信号，複数の音声用符号器１２および図示しない他の番組の音声用符号器からのディジタル音声信号, 及び付加情報用符号器１３からのディジタル信号を多重化して１本のトランスポートストリームにして出力する。該ディジタル音声信号は、上述のように、各音声用符号器１２からの音声を別個の音声チャンネルとして、その７ｃｈ程ずづをＡＡＣの各エレメンタリストリーム（コンポーネントストリーム）に入れて多重化して出力する。
【００３２】
次いで、ディジタル変調器１５は、多重化部１４で多重化されたディジタル信号を搬送波に乗せて変調して出力する。
【００３３】
また、上記トランスポートストリームと同時に別の複数のトランスポートストリームで伝送される番組の映像および音声，並びに付加情報も、図示しない別の複数の多重化部で、それぞれ多重化されて各トランスポートストリームとして出力され、図示しない別の複数の対応するディジタル変調器で変調して出力される。
次いで、アップコンバータ１６は、ディジタル変調器１５および図示しない別の複数のディジタル変調器でそれぞれ変調された低周波数の信号を衛星用高周波数の信号に変換して出力し、該信号を送出アンテナから衛星に向けて放射する。
【００３４】
図７は本発明の実施の形態による受信装置の構成例を示すブロック図である。
図において、２２は受信手段であり、アンテナから送り込まれる電波に重畳されたディジタル放送信号の複数のトランスポンダのうち１本を指定して復調する。２３は信号分離手段であり、復調したトランスポートストリームから、付加情報が含まれるＳＩデータを抽出したり、外部入力により選択された番組の映像および音声が含まれるエレメンタリストリームを抽出する。２４は付加情報処理手段であり、ＳＩデータに含まれる付加情報（聴覚補償方法用音声の情報）を抽出する。２５は最適音声選択手段であり、抽出された付加情報から外部入力によって選択された音声チャンネルの情報を出力する。２６はリモコン手段であり、外部より視聴者が所望の音声チャンネルを選択するための入力手段である。２７は音声信号再生手段であり、信号分離手段２３から出力されるエレメンタリストリームから最適音声選択手段で特定された音声チャンネルの音声信号を再生する。２８は映像信号再生手段であり、信号分離手段２３から出力される映像のエレメンタリストリームから選択された番組の映像信号を再生したり、付加情報処理手段２４で抽出された付加情報から音声マトリックスなどを作成し、再生した映像に合成する。
【００３５】
次に、本発明の実施の形態による受信装置の動作について、図１，２および７により説明する。
まず、衛星を介して放出される電波をアンテナで受けて、受信手段２２で該電波に重畳されたディジタル放送信号の複数のトランスポンダのうち１本を指定して復調する。
次いで、信号分離手段２３は、復調されたトランスポートストリームのＳＩを抽出して出力する。抽出したＳＩから周知の方法によって番組表が表示され、該番組表に基づいて外部から視聴者によって任意の番組が選択される。
次いで、受信手段２２は、選択された番組が伝送されるトランスポンダを指定し直して復調して出力する。
【００３６】
次いで、信号分離手段２３は、復調されたトランスポートストリームから選択された番組の音声および映像が含まれるエレメンタリストリームを、それぞれ音声信号再生手段２７および映像信号再生手段２８に出力する。
ここで、上記選択された番組の映像は１種類であり、該映像が含まれるエレメンタリストリームも１つであるが、上記選択された番組の音声は、図１および２に示したように、複数種類の聴覚補償方法用音声からなり、３〜４本のエレメンタリストリームに約７つの音声が各エレメンタリストリームに入れられている。この時点では、番組は選択されているが、視聴者によって当該視聴者に最適な音声は選択されていないので、適当な音声が含まれるエレメンタリストリームを出力する必要がある。
【００３７】
例えば、図１の２２番で示される音声のように、いずれの処理も施されていない音声や、一番小さい番号で示される音声など適当に決定した音声が含まれるエレメンタリストリームを出力するものとしてもよいし、前回、視聴者が聴覚補償方法用音声が用意された番組を視聴したとき、選択されていた音声が含まれるエレメンタリストリームを出力するものとすることも可能である。
【００３８】
次いで、付加情報処理手段２４は、信号分離手段（ＴＤ）２３からのＳＩデータに含まれる付加情報（聴覚補償方法用音声の情報が記述されたコンポーネント記述子）を抽出して、該付加情報を最適音声選択手段２５および映像信号再生手段２８に出力する。
ここで、視聴者がリモコン手段２６を用いて音声マトリックスなどの表示を選択する。リモコン手段２６には、音声マトリックスなどを表示させるボタンなどが設けられているものとする。
次いで、リモコン手段２６は、音声マトリックスなどの表示を指示する入力があった旨を最適音声選択手段２５に出力する。
【００３９】
次いで、最適音声選択手段２５は、リモコン手段２６からの指示を映像信号再生手段２８に出力する。
次いで、映像信号再生手段２８は、最適音声選択手段２５からの指示を受けて、付加情報処理手段２４からの付加情報に基づいて音声マトリックスなどを作成し、番組の映像の一部分に合成してディスプレイに表示させる。
ここで、視聴者がディスプレイに表示された音声マトリックスなどを参照して、該視聴者にとって最適な音声のチャンネルをリモコン手段２６を用いて選択する。例えば、音声マトリックス上の１つのマスを示すカーソルをリモコン手段２６のカーソルキーを操作して移動し、任意のマスを選択することによって該マスが示す音声チャンネルを選択する。
【００４０】
次いで、リモコン手段２６は、視聴者による入力情報を最適音声選択手段２５に出力する。
【００４１】
次いで、最適音声選択手段２５は、リモコン手段２６からの入力情報を信号分離手段（ＴＤ）２３，音声信号再生手段２７，及び映像信号再生手段２８に出力する。
例えば、視聴者が図１に示した音声マトリックス上の６番で示されるマスを選択した場合、付加情報（聴覚補償方法用音声の情報）から、６番で示される音声チャンネルを特定する。すなわち、text＿char（コンポーネント記述）に６が記述されたコンポーネント記述子の component＿tag（コンポーネントタグ）によって、６番で示される音声チャンネルが伝送されるエレメンタリストリーム（コンポーネントストリーム）を識別できる。
【００４２】
次いで、映像信号再生手段２８は、最適音声選択手段２５からの入力情報に従って音声マトリックスなどの表示を変更する。例えば、入力情報に従って、音声マトリックス上の選択されたマスをカーソルが示すように表示を変更する。
同時に、信号分離手段２３は、最適音声選択手段２５からの入力情報に従って、トランスポートストリームから、選択された音声チャンネルが含まれるエレメンタリストリームの信号を音声信号再生手段２７に出力する。
次いで、音声信号再生手段２７は、信号分離手段２３からのエレメンタリストリームのうち、最適音声選択手段２５からの入力情報に従って、選択された音声チャンネルの音声信号を再生して、スピーカから出力する。
【００４３】
このように、本発明の実施の形態によるディジタル放送用聴覚補償方法は、送信側から、番組の音声として作成されたデータに複数通りの聴覚補償処理を施した複数種類の音声データを別個の複数の音声チャンネルで伝送するとともに、該音声チャンネルを識別するための付加情報を多重化して伝送し、受信側では、該付加情報に基づいて、各音声チャンネルの音声に施された聴覚補償処理を判断して最適音声を選択するための選択画面を表示し、該選択画面から外部入力によって任意に選択された音声チャンネルの音声を出力するものとしたから、様々に聴力低下を示す高齢者や聴覚障害者などに対応して複数通りに聴覚補償処理を施した音声を送信することができ、視聴者である高齢者等は、表示された選択画面によって視覚的に容易に、自己にとって最適に聴覚補償処理が施された音声を選択して該音声を聴くことができる。
【００４４】
また、上記付加情報を、ＡＲＩＢ（社団法人電波産業会）規格による番組配列情報のコンポーネント記述子に記述するものとしたから、既存の規格に準じて上記付加情報を伝送でき、受信側でも既存の処理を応用して比較的簡便に上記付加情報を利用することができる。
【００４５】
また、本発明の実施の形態によるディジタル放送用聴覚補償方法に用いる受信装置は、最適音声選択手段から外部入力による選択画面表示の指示を受けて、映像再生手段で選択画面を表示し、付加情報処理手段で抽出された付加情報に基づいて、最適音声選択手段で外部入力によって選択された音声の音声チャンネルを特定し、特定された音声チャンネルの音声を音声再生手段で復号して再生するものとしたから、視聴者である高齢者等は、選択画面を表示して視覚的に容易に、自己にとって最適に聴覚補償処理が施された音声を選択して聴くことができる。
【００４６】
また、上記選択画面は、送信側で物理パラメータのパラメータ値を変化させて複数通りの聴覚補償処理が施された各音声が、受信側で該物理パラメータに対応する心理パラメータで表現して呈示されるものとしたから、視聴者である高齢者等は、選択画面を表示して視覚的に容易に任意の音声を選択できるだけでなく、難解な物理パラメータではなく、分かり易い感覚的な心理パラメータで表現された各音声から、自己にとって最適な聴覚補償処理が施された音声を選択できる。
【００４７】
また、上記映像再生手段において作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されるものとしたから、視聴者である高齢者等は、２次元の音声マトリックスから、視覚的により容易に、自己にとって最適な聴覚補償処理が施された音声を選択できる。
【００４８】
【発明の効果】
以上のように、本発明（請求項１）のディジタル放送用聴覚補償方法によれば、送信側から、番組の音声として作成されたデータに複数通りの聴覚補償処理を施した複数種類の音声データを別個の複数の音声チャンネルで伝送するとともに、該音声チャンネルを識別するための付加情報を多重化して伝送し、受信側では、該付加情報に基づいて、各音声チャンネルの音声に施された聴覚補償処理を判断して最適音声を選択するための選択画面を表示し、該選択画面から外部入力によって任意に選択された音声チャンネルの音声を出力するものとしたから、様々に聴力低下を示す高齢者や聴覚障害者などに対応して複数通りに聴覚補償処理を施した音声を送信することができ、視聴者である高齢者等は、表示された選択画面によって視覚的に容易に、自己にとって最適に聴覚補償処理が施された音声を選択して該音声を聴くことができる効果がある。
【００４９】
また、本発明（請求項２）のディジタル放送用聴覚補償方法によれば、請求項１に記載のディジタル放送用聴覚補償方法において、上記付加情報を、ＡＲＩＢ（社団法人電波産業会）規格による番組配列情報のコンポーネント記述子に記述するものとしたから、既存の規格に準じて上記付加情報を伝送でき、受信側でも既存の処理を応用して比較的簡便に上記付加情報を利用することができる効果がある。
【００５０】
また、本発明（請求項３）のディジタル放送用聴覚補償方法によれば、請求項１に記載のディジタル放送用聴覚補償方法において、上記受信側で作成される選択画面は、送信側で話速及びダイナミックレンジを示す物理パラメータのパラメータ値を変化させて複数通りに聴覚補償処理を施された各音声が、スピード及び明瞭さを示す心理パラメータで表現されて呈示されるものとしたから、視聴者である高齢者等は、選択画面を表示して視覚的に容易に任意の音声を選択できるだけでなく、難解な物理パラメータではなく、分かり易い感覚的な心理パラメータで表現された各音声から、自己にとって最適な聴覚補償処理が施された音声を選択できる効果がある。
【００５１】
また、本発明（請求項４）のディジタル放送用聴覚補償方法によれば、請求項１に記載のディジタル放送用聴覚補償方法において、上記映像再生手段において作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されるものとしたから、視聴者である高齢者等は、２次元の音声マトリックスから、視覚的により容易に、自己にとって最適な聴覚補償処理が施された音声を選択できる効果がある。
【００５２】
また、本発明（請求項５）の受信装置によれば、最適音声選択手段から外部入力による選択画面表示の指示を受けて、映像再生手段で選択画面を表示し、付加情報処理手段で抽出された付加情報に基づいて、最適音声選択手段で外部入力によって選択された音声の音声チャンネルを特定し、特定された音声チャンネルの音声を音声再生手段で復号して再生するものとしたから、視聴者である高齢者等は、選択画面を表示して視覚的に容易に、自己にとって最適に聴覚補償処理が施された音声を選択して聴くことができる効果がある。
【００５３】
また、本発明（請求項６）の受信装置によれば、請求項５に記載の受信装置において、上記映像再生手段において作成される選択画面は、送信側で話速及びダイナミックレンジを示す物理パラメータのパラメータ値を変化させて複数通りに聴覚補償処理が施された各音声が、スピード及び明瞭さを示す心理パラメータで表現されて呈示されるものとしたから、視聴者である高齢者等は、選択画面を表示して視覚的に容易に任意の音声を選択できるだけでなく、難解な物理パラメータではなく、分かり易い感覚的な心理パラメータで表現された各音声から、自己にとって最適な聴覚補償処理が施された音声を選択できる効果がある。
【００５４】
また、本発明（請求項７）の受信装置によれば、請求項５に記載の受信装置において、上記映像再生手段において作成される選択画面は、送信側で２種類の物理パラメータのパラメータ値を変化させて複数通りに聴覚補償処理を施された各音声が、該２種類の物理パラメータをそれぞれ軸とする２次元の音声マトリックスとして呈示されるものとしたから、視聴者である高齢者等は、２次元の音声マトリックスから、視覚的により容易に、自己にとって最適な聴覚補償処理が施された音声を選択できる効果がある。
【図面の簡単な説明】
【図１】本発明の実施の形態によるディジタル放送用聴覚補償方法において、視聴者が最適音声を選択するための音声マトリックスの例を示す図である。
【図２】本発明の実施の形態によるディジタル放送用聴覚補償方法において用いるコンポーネント記述子を示す図である。
【図３】  ダイナミックレンジ圧縮による聴覚補償処理の一例を示す図である。
【図４】  ホルマント強調による聴覚補償処理の一例を示す図である。
【図５】本発明の実施の形態によるディジタル放送用聴覚補償方法において、視聴者が最適音声を選択するためのインジケータの例を示す図である。
【図６】本発明の実施の形態によるディジタル放送用聴覚補償方法において用いる送信装置の構成例を示すブロック図である。
【図７】本発明の実施の形態による受信装置の構成例を示すブロック図である。
【符号の説明】
１１    映像用符号器
１２    音声用符号器
１３    付加情報用符号器
１４    多重化部
１５    ディジタル変調器
１６    アップコンバータ
２２    受信手段
２３    信号分離手段
２４    付加情報処理手段
２５    最適音声選択手段
２６    リモコン手段
２７    音声信号再生手段
２８    映像信号再生手段
【図１】
0004167346.tif 000002
【図２】
0004167346.tif 000003
【図３】
0004167346.tif 000004
【図４】
0004167346.tif 000005
【図５】
0004167346.tif 000006
【図６】
0004167346.tif 000007
【図７】
0004167346.tif 000008